(57)【要約】自動食器洗浄組成物の調製において、塩基又は添加物として使用するための水溶性亜鉛塩をその場で調製するためのプロセスであって、該プロセスが、ａ）酸化亜鉛を水中に分散させる工程と；ｂ）酸と前記酸化亜鉛／水混合物とを合わせる工程と；ｃ）前記酸化亜鉛が少なくとも部分的に溶解するまで、前記酸化亜鉛／水混合物と前記酸とを混合する工程と；ｄ）前記酸化亜鉛／水／酸混合物を酸性ｐＨ範囲内に維持する工程と；ｅ）前記酸化亜鉛／水／酸混合物と少なくとも１つのすすぎ補助成分とを合わせて、すすぎ補助組成物を形成する工程と、を含み、前記プロセスの工程（ａ）及び（ｂ）の追加順序が重要ではない、プロセス。【特許請求の範囲】
【請求項１】
自動食器洗浄組成物の調製において、塩基又は添加物として使用するための水溶性亜鉛塩をその場で調製するためのプロセスであって、該プロセスが、
ａ）酸化亜鉛を水中に分散させる工程と；
ｂ）酸と前記酸化亜鉛／水混合物とを合わせる工程と；
ｃ）前記酸化亜鉛が少なくとも部分的に溶解するまで、前記酸化亜鉛／水混合物と前記酸とを混合する工程と；
ｄ）前記酸化亜鉛／水／酸混合物を酸性ｐＨ範囲内に維持する工程と；
ｅ）前記酸化亜鉛／水／酸混合物と少なくとも１つのすすぎ補助成分とを合わせて、すすぎ補助組成物を形成する工程と
を含み、前記プロセスの工程（ａ）及び（ｂ）の追加順序が重要ではない、プロセス。
【請求項２】
前記酸化亜鉛／水／酸混合物が、約５未満のｐＨを有する、請求項１に記載のプロセス。
【請求項３】
酸化亜鉛が、自動食器洗浄組成物及び／又は製品を介して、約０．０１ｍＭ〜約１０ｍＭ、あるいは約０．０２ｍＭ〜約５ｍＭ、あるいは約０．０５ｍＭ〜約１ｍＭ、あるいは約０．０５ｍＭ〜約０．５ｍＭの量の水溶性亜鉛塩化合物又は製品を、操作中に自動食器洗浄装置の洗浄液及び／又はすすぎ液に運ぶ量で提供される、請求項１又は２に記載のプロセス。
【請求項４】
前記酸が、次の式：
２ＨxＡ＋ＸＺｎＯ→ＸＺｎＡ2/x＋ＸＨ2Ｏ
（式中、Ａは、有機酸及び／又は無機酸であり、ｘは１〜２の整数である）
を用いて少なくとも化学量論的に決定される量で提供される、請求項１〜３のいずれか１項に記載のプロセス。
【請求項５】
前記酸が、酢酸、アスパラギン酸、安息香酸、ホウ酸、臭素酸、ギ酸、グルコン酸、グルタミン酸、塩酸、乳酸、リンゴ酸、硝酸、スルファミン酸、硫酸、酒石酸、及びこれらの混合物からなる群から選択される、請求項１〜４のいずれか１項に記載のプロセス。
【請求項６】
水溶性亜鉛塩がその場で調製され、該塩が、酢酸亜鉛、安息香酸亜鉛、ホウ酸亜鉛、臭化亜鉛、塩化亜鉛、ギ酸亜鉛、グルコン酸亜鉛、乳酸亜鉛、ラウリン酸亜鉛、リンゴ酸亜鉛、硝酸亜鉛、過ホウ酸亜鉛、硫酸亜鉛、スルファミン酸亜鉛、酒石酸亜鉛、及びこれらの混合物からなる群から選択される、請求項１〜５のいずれか１項に記載のプロセス。
【請求項７】
前記少なくとも１つのすすぎ補助成分が、酸、ヒドロトロープ、増粘剤、結合剤、分散剤ポリマー、キャリア媒体、界面活性剤、香料、染料、及びこれらの混合物からなる群から選択される、請求項１〜６のいずれか１項に記載のプロセス。
【請求項８】
自動食器洗浄組成物の調製において、塩基又は添加物として使用するための水溶性亜鉛塩をその場で調製するためのプロセスであって、該プロセスが、
ａ）酸化亜鉛を水中に分散させる工程と；
ｂ）酸と前記酸化亜鉛／水混合物とを合わせる工程であって；前記酸が、酢酸、アスパラギン酸、安息香酸、ホウ酸、臭素酸、ギ酸、グルタミン酸、塩酸、乳酸、リンゴ酸、硝酸、スルファミン酸、硫酸、酒石酸、及びそれらの混合物からなる群から選択される工程と；
ｃ）前記酸化亜鉛が少なくとも部分的に溶解するまで、前記酸化亜鉛／水混合物と前記酸とを混合する工程と；
ｄ）前記酸化亜鉛／水／酸混合物と少なくとも１つの洗剤成分とを合わせて、洗剤組成物を形成する工程と
を含む、プロセス。
【請求項９】
前記酸が、次の式：
２ＨxＡ＋ＸＺｎＯ→ＸＺｎＡ2/x＋ＸＨ2Ｏ
（式中、Ａは、有機酸及び／又は無機酸であり、ｘは１〜２の整数である）
を用いて少なくとも化学量論的に決定される量で提供される、請求項８に記載のプロセス。
【請求項１０】
前記少なくとも１つの洗剤成分が、洗剤ビルダー、アルカリ性ビルダー、漂白剤、酵素、界面活性剤、消泡剤、ポリマー、漂白剤活性化剤、及びこれらの混合物からなる群から選択される、請求項８又は９に記載のプロセス。
【発明の詳細な説明】
【技術分野】
【０００１】
本発明は、水溶性亜鉛塩、並びに自動食器洗浄組成物及び／又は製品において使用するためのそれらの調製物に関する。より特定的には、本発明は、すすぎ補助組成物及び洗剤組成物において使用するための水溶性亜鉛塩をその場で調製することに関する。
【背景技術】
【０００２】
ガラス製品を保護する自動食器洗浄組成物は周知である。塩素、硫酸、又は酢酸の亜鉛塩のような水溶性亜鉛塩類の使用が、この目的のために開示されている。水溶性亜鉛塩が、セラミック表面の腐蝕を防ぐために使用可能である。亜鉛金属アロイをゆっくりと溶解する固体プレートを、ガラス製品に対する防食を提供するために、洗剤組成物又は低泡性非イオン性界面活性剤と接触させて置いてもよい。実際に、不溶性の無機亜鉛化合物は、類似の目的のために界面活性剤と組み合わせて使用することもできる。グルコン酸亜鉛が、液体食器洗浄洗剤組成物において使用するためにその場で調製されるが、ガラス製品の防食に役立つ好適な自動食器洗浄組成物及び／又は製品において使用するための水溶性亜鉛塩を、その場で調製するコスト的に有効なプロセスを提供する必要性がなお存在する。
【発明の開示】
【発明が解決しようとする課題】
【０００３】
意外なことに、コスト的に有効な水溶性亜鉛塩は、自動食器洗浄組成物及び／又は製品において使用するためにその場で調製されてもよいことがわかった。すすぎ補助組成物を形成するためにその場で調製され、合わされる場合、これらの水溶性亜鉛塩類は、すすぎサイクル中のガラス製品を腐蝕から保護し、自動食器洗浄の結果、消費者の満足度を高める。
【課題を解決するための手段】
【０００４】
本発明は、自動食器洗浄すすぎ補助組成物の調製において塩基又は添加物として使用するための水溶性亜鉛塩を、その場で調製するためのプロセスに関する。前記プロセスは：（ａ）酸化亜鉛を水中に分散させる工程と；（ｂ）酸と前記酸化亜鉛／水混合物とを合わせる工程と；（ｃ）前記酸化亜鉛が少なくとも部分的に溶解するまで、前記酸化亜鉛／水混合物と前記及び酸とを混合する工程と；（ｄ）前記酸化亜鉛／水／酸混合物を酸性ｐＨ範囲内に維持する工程と；（ｅ）前記酸化亜鉛／水／酸混合物と少なくとも１つのすすぎ補助成分とを合わせて、すすぎ補助組成物を形成する工程と、を含む。
【０００５】
本発明はさらに、自動食器洗浄洗剤組成物の調製において塩基又は添加物として使用するための水溶性亜鉛塩を、その場で調製するためのプロセスにも関する。前記プロセスは：（ａ）酸化亜鉛を水中に分散させる工程と；（ｂ）酸と前記酸化亜鉛／水混合物とを合わせる工程であって；前記酸が、酢酸、アスパラギン酸、安息香酸、ホウ酸、臭素酸、ギ酸、グルタミン酸、塩酸、乳酸、リンゴ酸、硝酸、スルファミン酸、硫酸、酒石酸、及びそれらの混合物からなる群から選択される工程と；（ｃ）前記酸化亜鉛が少なくとも部分的に溶解するまで、前記酸化亜鉛／水混合物と酸とを混合する工程と；（ｄ）前記酸化亜鉛／水／酸混合物と少なくとも１つの洗剤成分とを合わせて、洗剤組成物を形成する工程と、を含む。
【発明を実施するための最良の形態】
【０００６】
本発明は、水溶性亜鉛塩類、並びに自動食器洗浄組成物及び／又は製品において使用するためのそれらの調製物に関する。自動食器洗浄組成物としては、洗剤組成物、すすぎ補助組成物、及びこれらの組み合わせが挙げられるが、これらに限定されない。本明細書中で開示される亜鉛塩のその場での調製は、酸化亜鉛が水中に分散され、酸と合わされることを必要とする。得られた混合物は、自動食器洗浄組成物及び／又は製品、例えば、洗剤及び／又はすすぎ補助組成物を製造又は調製するためのプロセスにおいて、塩基であるか又は添加物として添加されるように設計されてもよい。
【０００７】
水溶性亜鉛塩は、次の一般式：
２ＨxＡ＋ＸＺｎＯ→ＸＺｎＡ2/x＋ＸＨ2Ｏ
（式中、Ａは、有機酸及び／又は無機酸であり、ｘは１〜２の整数である）により、酸化亜鉛と酸とを反応させることによって、その場で調製されてもよい。例えば、水溶性硝酸亜鉛は、次の式：
２ＨＮＯ3＋ＺｎＯ→Ｚｎ（ＮＯ3）2＋Ｈ2Ｏ
により、酸化亜鉛と硝酸とを反応させることによって、その場で調製することができる
酸化亜鉛は、任意の適切な量で提供されてもよい。酸化亜鉛の適切な量は、自動食器洗浄組成物及び／又は製品を介して、約０．０１ｍＭ〜約１０ｍＭ、あるいは約０．０２ｍＭ〜約５ｍＭ、あるいは約０．０５ｍＭ〜約１ｍＭ、あるいは約０．０５ｍＭ〜約０．５ｍＭの量の水溶性亜鉛塩又は製品を、操作中に自動食器洗浄装置の洗浄液及び／又はすすぎ液に送給する量である。あるいは、酸化亜鉛の適切な量は、自動食器洗浄組成物及び／又は製品を介して、約０．１ｐｐｍ〜６０ｐｐｍ、あるいは約０．１ｐｐｍ〜３０ｐｐｍ、あるいは約０．１ｐｐｍ〜１５ｐｐｍ、及び／又はあるいは約０．１ｐｐｍ〜１０ｐｐｍの水溶性亜鉛塩化合物又は製品を、操作中に自動食器洗浄装置の洗浄液及び／又はすすぎ液に送給する量である。
【０００８】
酸化亜鉛は、任意の適切な形態で提供されてもよい。例えば、酸化亜鉛は粉末形態であってもよい。酸化亜鉛は、最初に水中に分散される。上述の一般式による少なくとも化学量論量、又はあるいはわずかに過剰の酸が、分散物にゆっくりと添加される。
【０００９】
次いで、酸化亜鉛が少なくとも部分的に溶解するまで、あるいは完全に溶解するまで、混合物を連続して攪拌する。酸化亜鉛／水／酸混合物のその場での調製のプロセス工程の追加順序は重要ではない。従って、前記プロセスは、最初に酸を添加し、次いで酸化亜鉛を水に分散し−その後に、酸化亜鉛が完全に溶解するまで連続して攪拌しながらそれらを添加するか、又はその逆であることができる。酸化亜鉛が少なくとも部分的に溶解すると、酸化亜鉛／水／酸混合物は透明になり始める。酸化亜鉛／水／酸混合物が完全に溶解すると、透明溶液を示す。これにより、その場での酸中和プロセスが完結する。
【００１０】
その場での酸中和プロセスが完結した後、任意の好適な量の好適な自動食器洗浄成分が、酸化亜鉛／水／酸混合物と任意の順序で混合され、所望の自動食器洗浄組成物を製造することができる。すすぎ補助組成物及び／又は製品を調製するための酸化亜鉛／水／酸混合物に添加されてもよい好適な自動食器洗浄成分としては：酸、ヒドロトロープ、増粘剤、結合剤、分散剤ポリマー、キャリア媒体、界面活性剤、香料、染料、及びこれらの混合物が挙げられるが、これらに限定されない。洗剤組成物及び／又は製品を調製するために酸化亜鉛／水／酸混合物に添加されてもよい好適な自動食器洗浄成分としては：洗剤ビルダー、アルカリ性ビルダー、漂白剤、酵素、界面活性剤、消泡剤、ポリマー、漂白剤活性化剤、及びこれらの混合物が挙げられるが、これらに限定されない。
【００１１】
例えば、クエン酸、ナトリウムクメンスルホネート、アクゾル（Acusol）（登録商標）ポリマー、エタノール、非イオン性界面活性剤、香料、染料、及びこれらの混合物は、酸化亜鉛／水／酸混合物に順に添加され、液体すすぎ補助組成物及び／又は製品を製造してもよい。別の例において、結合剤又は固体界面活性剤（例えば、２５℃で固体）は、固体すすぎ補助組成物を処方するために添加されてもよい。別の例において、洗剤ビルダー、酵素、界面活性剤、消泡剤、及びこれらの混合物は、酸化亜鉛／水／酸混合物に添加され、液体洗剤組成物を処方してもよい。なお別の例において、アルカリ性ビルダー、界面活性剤、漂白剤、漂白剤活性化剤、及びそれらの混合物は、酸化亜鉛／水／酸混合物に添加され、固体洗剤組成物を処方してもよい。
【００１２】
（酸）
好適な量の任意の好適な有機酸及び／又は無機酸は、自動食器洗浄すすぎ補助組成物及び／又は製品において使用するための水溶性亜鉛塩類を、その場で調製するために使用されてもよい。その場での水溶性亜鉛塩調製プロセスで使用されるいくつかの好適な酸としては：酢酸、アスパラギン酸、安息香酸、ホウ酸、臭素酸、ギ酸、グルコン酸、グルタミン酸、塩酸、乳酸、リンゴ酸、硝酸、スルファミン酸、硫酸、酒石酸、及びこれらの混合物が挙げられるが、これらに限定されない。
【００１３】
亜鉛塩の沈殿を生じる任意の酸は、その場での水溶性亜鉛塩調製プロセスにおいて使用するべきではない。例えば、クエン酸は不溶性の亜鉛塩の沈殿を生じる。しかし、以下に開示されるように、このような沈殿する酸は、その場でのプロセスが完結した後に添加物に添加されてもよい。
【００１４】
その場での水溶性亜鉛塩調製プロセスの後で、例えば自動食器洗浄組成物の調製において酸を添加することにより、水溶性亜鉛塩を少なくとも部分的に溶解させるか、あるいは完全に溶解させるか、あるいは溶解したままにすることが可能である。前記酸は、使用前に製品において沈殿に対して組成物を安定化させるように作用してもよい。さらに、前記酸は、洗浄及び／又はすすぎサイクル中に、硬質表面、例えば、平食器、ガラス類、皿類、及び／又は自動食器洗浄装置自身の内部の構成成分に対する沈殿をなくすのにも役立つ。
【００１５】
固体すすぎ補助組成物において使用される水溶性亜鉛塩をその場で調製する場合、特定の沈殿しない酸は、すすぎ補助組成物及び／若しくは製品自体、又は操作中の自動食器洗浄装置のすすぎ液中で、水溶性亜鉛塩の沈殿を生じない。例えば、硝酸、塩酸、及びこれらの混合物は、典型的な沈殿しない酸である。逆に、リン酸、クエン酸、及びこれらの混合物のような沈殿する酸は、水溶性亜鉛塩のその場での調製中に不溶性亜鉛塩の沈殿を生じる場合がある。例えば、沈殿する酸は、沈殿しない酸、例えば、硝酸、塩酸、及びこれらの混合物中で水溶性亜鉛塩が最初に少なくとも部分的に溶解するか、あるいは完全に溶解した後にのみ添加されてもよい。さらに、溶解した水溶性亜鉛塩（すなわち、沈殿しない酸中に溶解されたもの）は、不溶性物質がすすぎ補助組成物及び／若しくは製品自体において、又はすすぎサイクル中の自動食器洗浄装置のすすぎ液において形成されることを防ぐために、その後の混合物に対して酸を添加する前の酸性ｐＨ範囲におけるｐＨに維持されるべきである。酸の好適な量は、次の式：
２ＨxＡ＋ＸＺｎＯ→ＸＺＮＡ2/x＋ＸＨ2Ｏ
（式中、Ａは、有機酸及び／又は無機酸であり、ｘは１〜２を変動する整数である）を用いて、化学量論的に決定されてもよい。好適な酸は、典型的には、混合物の約０．０１重量％〜約２５重量％、あるいは約０．５重量％〜約２０重量％、あるいは約１重量％〜約１０重量％の範囲で、水溶性亜鉛塩のその場での調製において存在する。
【００１６】
１つの非限定的な実施形態では、混合物の重量に対して、酢酸、ギ酸、グルコン酸、グルタミン酸、塩酸、リンゴ酸、硝酸、硫酸、及びこれらの混合物からなる群から選択される酸が、水溶性亜鉛塩のその場での調製において使用されてもよい。
【００１７】
（ｐＨ）
酸化亜鉛／水／酸混合物のｐＨは、その場でのプロセスの終了時に直接測定されてもよい。しかし、酸化亜鉛／水／酸混合物が、少なくとも１つのすすぎ補助成分と合わされ、すすぎ補助組成物を形成する場合、すすぎ補助組成物のｐＨは、１０％濃度の水溶液として測定されるべきである。
【００１８】
好適なｐＨは、約１〜約５、あるいは約１〜約４、あるいは約１〜約３の範囲である。さらに低い酸性ｐＨ範囲は、不相溶性を減らし、すすぎ補助成分の負の相互作用を減らす傾向がある。わずかに高い酸性ｐＨ範囲は、製品処方物にいくらかの自由度を与えることができる。
【００１９】
（その場でのプロセスを用いて調製される亜鉛塩）
任意の好適な量における任意の好適な亜鉛の水溶性塩は、酸化亜鉛と無機酸及び／又は有機酸とを反応させることによって調製されてもよい。自動食器洗浄において使用するために好適なその場での水溶性亜鉛塩は、液体組成物及び／又は製品、固体組成物及び／又は製品、並びにこれらの混合物において使用するために調製することができる。
【００２０】
その場で調製されてもよい水溶性亜鉛塩としては：酢酸亜鉛、安息香酸亜鉛、ホウ酸亜鉛、臭化亜鉛、塩化亜鉛、ギ酸亜鉛、グルコン酸亜鉛、乳酸亜鉛、ラウリン酸亜鉛、リンゴ酸亜鉛、硝酸亜鉛、過ホウ酸亜鉛、硫酸亜鉛、スルファミン酸亜鉛、酒石酸亜鉛、及びこれらの混合物が挙げられるが、これらに限定されない。
【００２１】
このプロセスによってその場で調製される水溶性亜鉛塩は、液体、固体、及びこれらの組み合わせが挙げられるがこれらに限定されない、任意の物理的形態で存在してもよい。その場での水溶性亜鉛塩は、自動食器洗浄成分と合わされ、液体、固体、及びこれらの組み合わせが挙げられるがこれらに限定されない、任意の物理的形態で存在してもよい、自動食器洗浄組成物を形成する。
【００２２】
本記述全体にわたって言及したすべての特許、特許出願（及びそれに基づいて発行された特許及び関連して発行された外国特許出願）、並びに公開公告の開示内容を本明細書に参考として組み込む。但し、本明細書に参考として組み込まれる文献のいずれもが本発明を教示又は開示していないことを明言する。
【００２３】
本明細書全体にわたって記載されるあらゆる最大数値限定は、それよりも低いあらゆる数値限定も本明細書に明確に記載されたものとして含むことを理解されたい。本明細書全体にわたって記載されるあらゆる最小数値限定は、それより大きいあらゆる数値限定も本明細書に明確に記載されたものとして含む。本明細書全体にわたって記載されるあらゆる数値範囲は、そのようなより広い数値範囲内にあるあらゆるより狭い数値範囲も、すべて本明細書に明確に記載されたものとして含む。
【００２４】
本発明の特定の実施形態について記載したが、本発明の精神及び範囲から逸脱することなく、本発明の様々な変更及び修正を実施できることが、当業者には明らかである。本発明の範囲から逸脱することなく様々な変更及び修正を実施でき、本発明が本明細書に記載の実施形態及び実施例に制限されるものではないことが、当業者には明らかであろう。
【国際調査報告】
2006511672.tif 000002
2006511672.tif 000003